(57)【要約】  【課題】  建物内の室温の管理を行い、過剰な空調を防止し、これに伴うエネルギーの消費を削減すること。  【解決手段】  管理システム１は、管理装置２にネットワーク３を通じプログラマブルロジックコントローラ４を介して温度計類５・・・を接続することにより構成する。ビルＢ内の空調機器Ｍが管理する区画ごとに室温を測る温度計５を設ける。管理装置２のコンピュータ本体２ａは、空調機器Ｍの冷暖房運転時に室内温度を基準値と比較して過剰な冷暖房運転をしている「不適正」な状態の継続を違反時間としてカウントする。従って、空調機器Ｍの運転状態を違反時間の長短で評価でき、必要な調整による改善を促すことができ、エネルギーの無駄な消費を省く。【選択図】  図１
2005061801.tif 000002
【特許請求の範囲】
【請求項１】
空調機器が設置された室内の温度を測定する測定手段と、
この測定手段による室内温度の平均値が予め設定した基準温度に対して過剰に調整されている温度である状態を違反時間として一ヶ月ごとの積算時間をカウントし、許容する基準時間の長短から空調機器の冷暖房運転が適切であるかどうかを判定する判定手段と、
前記判定結果を表示する表示手段とを具備し、
前記空調機器の過剰な冷暖房運転の改善を促してエネルギー消費を減らすことを特徴とする空調機器の管理システム。
【請求項２】
空調機器が設置された室内の温度を測定手段により測定させ、
この測定手段による室内温度の平均値が予め設定した基準温度に対して過剰に調整されている温度である状態を違反時間として一ヶ月ごとの積算時間をカウントし、許容する基準時間の長短から空調機器の冷暖房運転が適切であるかどうかを判定手段により判定し、
前記判定結果を表示手段により表示させ、
前記空調機器の過剰な冷暖房運転の改善を促してエネルギー消費を減らすことを特徴とする空調機器の管理システム用コンピュータプログラム。
【発明の詳細な説明】
【技術分野】
【０００１】
本発明は、ビルなどの建物のエネルギー管理において、特に空調機器の室温調整の適否を評価するための空調機器の管理システムに関するものである。
【背景技術】
【０００２】
従来、住戸内の温度、湿度等を検出するセンサと、このセンサの出力信号を入力し、予め設定したファジィルールに基づき複数の空調機器を制御するための信号を出力とするファジィ推論装置と、このファジィ推論装置の出力信号を受けて空調機器を制御する機器制御部を備えた自動空調システムがある（特許文献１参照）。
【特許文献１】特開平５−１２６３８２号公報
【発明の開示】
【発明が解決しようとする課題】
【０００３】
上記従来の自動空調システムにおいては、監視時点の室温調整を自動的に行うことができるが、専門的知識を有しないビルオーナーなどにとって部屋や系統ごとに空調機器の冷暖房運転が省エネルギーの観点で適切であるかどうかを判断することが難しいため、空調機器の過剰な冷暖房運転によりエネルギーを無駄に消費することがある。
そこで、本発明は、専門的知識を有しない者でも建物内の室温の管理を簡単に行え、過剰な空調を防止し、これに伴うエネルギーの消費を削減することを課題としている。
【課題を解決するための手段】
【０００４】
上記課題を解決するため、本発明においては、空調機器が設置された室内温度を測定手段５で測定し、この室内温度の平均値が予め設定した基準温度に対して過剰に調整されている温度である状態を違反時間として一ヶ月ごとの積算時間をカウントし、許容する基準時間の長短から空調機器の冷暖房運転が適切であるかどうかを判定手段２ａにより判定し、この判定結果を表示手段２ｃで表示して、空調機器の過剰な冷暖房運転の改善を促し、エネルギー消費を減らすようにした。
【発明の効果】
【０００５】
本発明においては、専門的知識を有しないビルオーナーなどにとっても部屋や系統ごとに適切な空調が行われているかどうかを容易に把握することができるので、空調機器の過剰な冷暖房運転を防止して、省エネルギーを実現することができるという効果を有する。
【発明を実施するための最良の形態】
【０００６】
本発明の実施の一形態を説明する。図１は本発明に係る空調機器の管理システムの概略的構成図、図２は管理システムの外気導入の適否判定に関するフローチャート、図３は室温調整の違反時間に関するモニターの画面構成図、図４は室温調整の違反時間に関するモニターの他の画面構成図である。
【０００７】
図１において、管理システム１は、ビルＢ内の照明、空調、給湯等のために複数の設備機器のエネルギーの需給を総合的に管理する。この管理システム１は、エネルギー管理の一環として、設備機器のうち空調機器Ｍについて、室内温度に関するデータを取得し、空調機器Ｍの稼働状態を適正か否か判定する。空調機器Ｍは過剰な冷暖房運転に対するエネルギーの無駄を防止するために管理システム１は室内温度を管理する。管理システム１は、他の設備機器と共に空調機器Ｍを総合的に管理する管理装置２に、ネットワーク３を通じプログラマブルロジックコントローラ（以下ＰＬＣという）４を介して各計器類が夫々接続されることにより構成される。
【０００８】
ビルＢ内の空調機器Ｍが管理する区画ごとに室温を測る温度計５が設けられている。これら温度計５は測定手段を構成し、管理装置２にネットワーク３を通じて測定データを送る。
【０００９】
管理装置２は、コンピュータ本体２ａとキーボード２ｂとモニター２ｃとを備えたコンピュータシステムによって構成される。コンピュータ本体２ａは判定手段を構成し、空調機器Ｍを含む設備機器、ネットワーク３、ＰＬＣ４、温度計５、キーボード２ｂ及びモニター２ｃ並びに管理データを管理制御するためのコンピュータプログラムが組み込まれている。コンピュータ本体２ａには、管理データを格納するデータベースが構築された記憶手段を内蔵する。モニター２ｃは各種管理データ及び情報を表示する表示手段を構成する。
【００１０】
コンピュータ本体２ａは、温度計５により取得した測定データを元に他の管理データを算出したり、管理データをグラフ化する。特にコンピュータ本体２ａは、空調機器Ｍの室温の適否判定を行う。この判定は、温度計５による室内の温度から時間当たりの平均値を算出し、これを予め設定した基準値と比較し、基準値を超えている状態の時間をカウントして一ヶ月当たりの積算時間を予め設定した許容基準時間に対する長短から空調機器の冷暖房運転が適切であるかどうかを判定する。測定データ及び判定結果は図３に示すような表６としてモニター２ｃに表示する。また、これらのデータを図４に示すようなグラフ８としてモニター２ｃに表示する。
【００１１】
モニター２ｃは、コンピュータ本体２ａのコンピュータプログラムを起動させて必要な操作により、図３、図４に示すような画面を表示する。即ち、図３に示す画面では、空調機器Ｍが設置された部屋ごとについて、月別に、空調機器Ｍの冷暖房・中間期モードの別、直近１時間の平均室内温度、室内温度の基準値、違反時間、違反時間の通年積算値、色分けによる「適正」「不適正」の判定結果を夫々まとめた表６を表示する。図４に示す画面では、空調機器Ｍが設置された区画ごとに、年度の違反時間をまとめた棒グラフ８を表示する。なお、各画面にはポインティングデバイスなどのポインタで押しボタン操作が可能な各種ボタンアイコン７も表示される。表６を表示する画面内で所定のボタンアイコン７を操作することによって、グラフ８の画面に切り替え表示できる。また、「判定」ボタンアイコン７により室温の違反時間の適否が判定処理が実行される。
【００１２】
この空調機器の管理システム１においては、図２に示すように、ビルＢ内の空調機器Ｍが設置された区画の室温を温度計５で測定し（ステップＳ１）、空調機器Ｍの冷暖房・中間期の運転モードの種別をこの測定データと共にネットワーク３を通じて管理装置２に入力し、１時間当たりの平均の室温を算出し（ステップＳ２）、必要な操作に基づいて室温の適否を判定する（ステップＳ３）。この判定は、冷暖房・中間運転モードの夫々について閾値（基準値）と比較する。閾値は、例えば冷房運転モードのときに２７℃、暖房運転モードのときに１８℃と設定する。暖房運転モードにおいては（ステップＳ４）、室内平均温度が閾値より低い場合に「適正」と判断し、閾値以上の場合に「不適正」と判断し（ステップＳ５）、これを継続することにより「不適正」の時間を違反時間として積算する（ステップＳ６）。冷房運転モードにおいては（ステップＳ４）、室内平均温度が閾値より高い場合に「適正」と判断し、閾値以下の場合に「不適正」と判断し（ステップＳ５）、これを継続することにより「不適正」な時間を違反時間として積算する（ステップＳ６）。中間期運転モードにおいて（ステップＳ４）は、室温調整の熱処理のためエネルギーを大きく消費することがなく、基準値に対する室温の高低がエネルギー消費の観点から問題とならず、常時「適正」と判断する（ステップＳ４）。コンピュータ本体２ａはこれらのデータを表６に表示すると共にグラフ８にまとめ（ステップＳ７）、必要に応じてモニター２ｃに表示する。従って、この判定に基づいて、空調機器Ｍの室温調整を適切に調整する等の対処を講ずることができる。
【００１３】
なお、エネルギー管理システム１の管理装置２は、ビルＢ内の各設備機器Ｍを監視する中央監視装置のコンピュータで兼用するものであってもいいし、独立したコンピュータを別途設置したり、これを中央監視装置と通信手段で連携させてもよい。
【産業上の利用可能性】
【００１４】
本発明は、ビルなどの建物に設置された空調機器の室温調整の適否を評価するのに有効である。
【図面の簡単な説明】
【００１５】
【図１】本発明に係る空調機器の管理システムの概略的構成図である。
【図２】室内の二酸化炭素濃度に関する管理システムのフローチャートである。
【図３】室内温度に関する表示装置の画面構成図である。
【図４】室内温度に関する表示装置の他の画面構成図である。
【符号の説明】
【００１６】
１    管理システム
２    管理装置
２ａ  コンピュータ本体（判定手段）
２ｂ  キーボード
２ｃ  モニター（表示手段）
３    ネットワーク
５    温度計（測定手段）
Ｍ    空調機器
【図１】
2005061801.tif 000003
【図２】
2005061801.tif 000004
【図３】
2005061801.tif 000005
【図４】
2005061801.tif 000006